(57)【要約】【課題】設置面積の省スペース化を図りつつ施工性、メンテナンス性に優れた温水生成装置を提供すること。【解決手段】圧縮機３、水冷媒熱交換器４、減圧装置５、蒸発器６ａが冷媒配管で環状に接続されたヒートポンプ装置と、水冷媒熱交換器４で加熱される熱媒体が流れる熱媒体経路１２ａと、熱媒体、又は、熱媒体によって加熱される温水が貯留される貯湯タンク１５と、熱媒体経路１２ａの内部の圧力が所定圧力以上となった場合に圧力を逃す過圧逃し弁１１と、少なくとも、水冷媒熱交換器４、熱媒体経路１２ａ、貯湯タンク１５を収容して貯湯タンクユニット２を構成する筐体２９と、を備え、筐体２９には、筐体２９から開閉自在または着脱自在な操作部カバー２５が設けられ、操作部カバー２５が開状態であるときに、過圧逃し弁１１が貯湯タンクユニット２の外部に露出することを特徴とする温水生成装置。【選択図】図３
2015203509.tif 000002
【特許請求の範囲】
【請求項１】
圧縮機、水冷媒熱交換器、減圧装置、蒸発器が冷媒配管で環状に接続されたヒートポンプ装置と、
前記水冷媒熱交換器で加熱される熱媒体が流れる熱媒体経路と、
前記熱媒体、又は、前記熱媒体によって加熱される温水が貯留される貯湯タンクと、
前記熱媒体経路の内部の圧力が所定圧力以上となった場合に圧力を逃す過圧逃し弁と、
前記熱媒体経路の内部の空気を抜くための空気抜き弁と、
少なくとも、前記水冷媒熱交換器、前記熱媒体経路、前記貯湯タンクを収容して貯湯タンクユニットを構成する第１の筐体と、を備え、
前記第１の筐体には、前記第１の筐体から開閉自在または着脱自在な操作部カバーが設けられ、
前記操作部カバーが開状態であるときに、前記過圧逃し弁、前記空気抜き弁が前記貯湯タンクユニットの外部に露出することを特徴とする温水生成装置。
【請求項２】
前記熱媒体経路の内部の圧力を測定する圧力計と、
前記熱媒体、又は、前記温水の温度を調整する機能を有するリモコンと、を備え、
前記操作部カバーが開状態であるときに、前記過圧逃し弁、前記空気抜き弁、前記圧力計、前記リモコンが前記貯湯タンクユニットの外部に露出することを特徴とする請求項１に記載の温水生成装置。
【請求項３】
前記操作部カバーは、前記筐体の高さ方向において、中央よりも上側に設けられていることを特徴とする請求項１または２に記載の温水生成装置。
【請求項４】
前記圧縮機、前記水冷媒熱交換器、前記減圧装置、前記蒸発器は、第２の筐体に収容されてヒートポンプユニットを構成し、
前記貯湯タンクユニットには、前記ヒートポンプユニットとの接続を行うための冷媒配管が接続される冷媒接続部と、前記熱媒体を暖房端末に供給するための熱媒体配管が接続される暖房接続部とが設けられ、
前記操作部カバーの下方には、前記第１の筐体を構成する前面パネルが設けられ、
前記冷媒接続部と前記暖房接続部とは、前記前面パネルの内方に配設されることを特徴とする請求項１から３のいずれか１項に記載の温水生成装置。
【発明の詳細な説明】
【技術分野】
【０００１】
本発明は、ヒートポンプ技術を用いて生成した温水を貯湯する温水生成装置に関するものである。
【背景技術】
【０００２】
従来では石油やガスなどの燃焼系の燃料を熱源とした暖房機器の利用が大半を占めていたが、近年ではヒートポンプ技術を利用した暖房市場が急激に拡大している。
【０００３】
そして、ヒートポンプ技術を利用した温水暖房装置では、高温冷媒と水とを熱交換し、その熱交換して昇温した温水を、給湯に利用、あるいは、床暖房パネル等の暖房端末における暖房に利用している。
【０００４】
なお、そのヒートポンプ式温水暖房装置の構成としては、屋外にヒートポンプ装置を設置し、一方、前記ヒートポンプ装置で生成した高温冷媒と水とを熱交換し温水を生成する熱交換ユニットと、その生成された温水を貯湯する貯湯タンクを有する貯湯タンクユニットとを、別々に屋内に設置するものが多い（例えば、特許文献１参照）。
【先行技術文献】
【特許文献】
【０００５】
【特許文献１】国際公開第２００５／１０６３４６号
【発明の概要】
【発明が解決しようとする課題】
【０００６】
しかしながら、前記従来の構成では、ヒートポンプ装置で生成した高温冷媒と水とを熱交換し温水を生成する熱交換ユニットと、生成された温水を貯湯する貯湯タンクユニットとを、別々に屋内に設置しているため、設置面積が大きくなってしまうという課題があった。
【０００７】
本発明は、前記従来の課題を解決するもので、設置面積を省スペース化して、設置施工性及びメンテナンス性に優れた温水生成装置を提供できる。
【課題を解決するための手段】
【０００８】
前記従来の課題を解決するために、本発明の温水生成装置は、圧縮機、水冷媒熱交換器、減圧装置、蒸発器が冷媒配管で環状に接続されたヒートポンプ装置と、前記水冷媒熱交換器で加熱された熱媒体が流れる熱媒体経路と、前記熱媒体、又は、前記熱媒体によって加熱される温水が貯留される貯湯タンクと、前記熱媒体経路の内部の圧力が所定圧力以上となった場合に圧力を逃す過圧逃し弁と、前記熱媒体経路の内部の空気を抜くための空気抜き弁と、少なくとも、前記水冷媒熱交換器、前記熱媒体経路、前記貯湯タンクを収容して貯湯タンクユニットを構成する第１の筐体と、を備え、前記第１の筐体には、前記第１の筐体から開閉自在または着脱自在な操作部カバーが設けられ、前記操作部カバーが開状態であるときに、前記過圧逃し弁、前記空気抜き弁が前記貯湯タンクユニットの外部に露出することを特徴とするものである。
【０００９】
これにより、設置面積を省スペース化できる。また、設置施工時やメンテナンス時に用いられる過圧逃し弁及び空気抜き弁を、筐体と開閉自在または着脱自在に設けた操作部カバーによって容易に露出可能な構成としたことで、温水生成装置の設置施工性、メンテナンス性を向上させることができる。また、操作部カバーが閉状態のときには、過圧逃し弁
、空気抜き弁は、使用者の目に触れないため、温水生成装置の美観性を向上させることができる。
【発明の効果】
【００１０】
本発明によれば、設置面積を省スペース化して、設置施工性、メンテナンス性に優れた温水生成装置を提供できる。
【図面の簡単な説明】
【００１１】
【図１】本発明の実施の形態１における温水生成装置の構成図
【図２】同温水生成装置の接続関係を示す概略構成図
【図３】同温水生成装置の貯湯タンクユニットの斜視図
【図４】同温水生成装置の貯湯タンクユニットの内部構造を示す正面図
【図５】同温水生成装置の貯湯タンクユニットの内部構造を示す斜視図
【発明を実施するための形態】
【００１２】
第１の発明の温水生成装置は、圧縮機、水冷媒熱交換器、減圧装置、蒸発器が冷媒配管で環状に接続されたヒートポンプ装置と、前記水冷媒熱交換器で加熱される熱媒体が流れる熱媒体経路と、前記熱媒体、又は、前記熱媒体によって加熱される温水が貯留される貯湯タンクと、前記熱媒体経路の内部の圧力が所定圧力以上となった場合に圧力を逃す過圧逃し弁と、前記熱媒体経路の内部の空気を抜くための空気抜き弁と、少なくとも、前記水冷媒熱交換器、前記熱媒体経路、前記貯湯タンクを収容して貯湯タンクユニットを構成する第１の筐体と、を備え、前記第１の筐体には、前記第１の筐体から開閉自在または着脱自在な操作部カバーが設けられ、前記操作部カバーが開状態であるときに、前記過圧逃し弁、前記空気抜き弁が前記貯湯タンクユニットの外部に露出することを特徴とするものである。
【００１３】
これにより、貯湯タンク及び水冷媒熱交換器を一体の筐体の内部に収容したので、温水生成装置の設置面積を削減できる。また、設置施工時やメンテナンス時に用いられる過圧逃し弁及び空気抜き弁を、筐体と開閉自在または着脱自在に設けた操作部カバーによって容易に露出可能な構成としたことで温水生成装置の設置施工性、メンテナンス性を向上させることができる。また、操作部カバーが閉状態のときには、過圧逃し弁、空気抜き弁は使用者の目に触れないため、温水生成装置の美観性を向上させることができる。
【００１４】
第２の発明は、特に第１の発明において、前記熱媒体経路の内部の圧力を測定する圧力計と、前記熱媒体、又は、前記温水の温度を調整する機能を有するリモコンと、を備え、前記操作部カバーが開状態であるときに、前記過圧逃し弁、前記空気抜き弁、前記圧力計、前記リモコンが前記貯湯タンクユニットの外部に露出することを特徴とするものである。
【００１５】
これにより、操作部カバーの内方側であって操作部カバーに対向する部分に、リモコンを配置したことにより、リモコンの誤操作ならびに外的要因による破損を防止でき、リモコンの使用性および耐久性が向上した温水生成装置を提供することができる。
【００１６】
また、操作部カバーが閉状態となって、リモコン、圧力計、空気抜き弁、過圧逃し弁を覆ったときには、圧力計、空気抜き弁、リモコンは使用者の目に触れないため、装置自体の美観性を向上させることができる。
【００１７】
なお、熱媒体及び温水の温度の調整機能を有するリモコンを設けて、リモコンを、貯湯タンクユニットの外部に露出する位置に配置してもよい。リモコンは、熱媒体、及び、給湯端末に供給される水の温度を調整するために、使用者が使用するものである。よって、
リモコンが常時貯湯タンクユニットの外部に露出する位置に配置されることで、使用者の使用性を向上させることができる。さらに、熱媒体経路の内部の圧力を測定する圧力計を設けて、圧力計を、常時、貯湯タンクユニットの外部に露出する位置に配置してもよい。圧力計は、温水生成装置の異常を認識するために、容易に視認できる位置に配置されていることが好ましいものである。よって、圧力計が常時貯湯タンクユニットの外部に露出する位置に配置されることで、異常時にはその異常に迅速に対応することができる。
【００１８】
第３の発明は、特に第１または第２の発明において、前記操作部カバーは、前記筐体の高さ方向において、中央よりも上側に設けられていることを特徴とするものである。
【００１９】
これにより、使用者の操作し易い位置、装置設置施工者の作業しやすい位置（例えば、人間の目の高さの位置）に、過圧逃し弁や、圧力計、空気抜き弁、リモコンが集約して配置されることとなるので、使用性ならびに設置作業性に優れた温水生成装置を提供することができる。
【００２０】
第４の発明は、特に第１から第３のいずれかの発明において、前記圧縮機、前記水冷媒熱交換器、前記減圧装置、前記蒸発器は、第２の筐体に収容されてヒートポンプユニットを構成し、前記貯湯タンクユニットには、前記ヒートポンプユニットとの接続を行うための冷媒配管が接続される冷媒接続部と、前記熱媒体を暖房端末に供給するための熱媒体配管が接続される暖房接続部とが設けられ、前記操作部カバーの下方には、前記第１の筐体を構成する前面パネルが設けられ、前記冷媒接続部と前記暖房接続部とは、前記前面パネルの内方に配設されることを特徴とするものである。
【００２１】
これにより、高さ制限のある地下室等の室内に設置する場合、室内空間の上限を構成する面（天井部）を気にすることなく設置工事ができることで、設置作業性に優れた温水生成装置を提供することができる。
【００２２】
また、冷媒接続部と暖房接続部とに配管を接続した後は、締結部材等により前面パネルを固定することができる。ここで、前面パネルの内面に対向する部分に、冷媒接続部と暖房接続部とを配置したことで、配管の接続後は、冷媒接続部と暖房接続部は使用者の目に触れないため、装置自体の美観性を向上させた温水生成装置を提供することができる。
【００２３】
なお、貯湯タンクユニットに、貯湯タンクへ水を供給する給水配管、貯湯タンクから給湯端末へと湯を供給する給湯配管が接続される場合には、冷媒接続部、暖房接続部に加え、給湯配管が接続される給湯接続部についても、前面パネルの内面に対向する部分に配置する。
【００２４】
以下、本発明の実施の形態について、図面を参照しながら説明する。なお、この実施の形態によって本発明が限定されるものではない。
【００２５】
（実施の形態１）
図１は、本発明の実施の形態における温水生成装置の回路構成図である。本実施の形態の温水生成装置は、屋外に配置されるヒートポンプユニット１と、屋内に設置される貯湯タンクユニット２を有する。また、貯湯タンクユニット２は、熱媒体配管２０により、暖房端末１９に接続される。さらに、貯湯タンクユニット２には、水道管等から貯湯タンクユニット２に水を供給する給水配管３１と、給湯端末３３に温水を供給する出湯配管３３とが接続されている。
【００２６】
図２は、本実施の形態における温水生成装置の接続構成を示す図である。温水生成装置のヒートポンプユニット１と貯湯タンクユニット２とは、冷媒配管８によって互いに接続
される。また、ヒートポンプユニット１と貯湯タンクユニット２とは電気配線１８により互いに接続される。電気配線１８を通じて、貯湯タンクユニット２内部に設けられた制御装置２１からヒートポンプユニット１に対して制御信号が伝達される。また、貯湯タンクユニット２と暖房端末１９（例えば、床暖房）とは熱媒体配管２０により互いに接続される。さらに、貯湯タンクユニット２には出湯配管３０が接続される。出湯配管３０を介して給湯端末３３に温水が供給される。また、貯湯タンクユニット２には、給水配管３１が接続されている。給水配管３１を介して、貯湯タンク１５に水が供給される。
【００２７】
ヒートポンプユニット１は、冷媒を圧縮して高温冷媒を吐出する圧縮機３と、冷媒を減圧する減圧装置５と、空気と冷媒とで熱交換を行う蒸発器６ａと、冷媒の流路を変更する四方弁７とを備えている。圧縮機３、減圧装置５、蒸発器６ａ、四方弁７は、冷媒配管で互いに接続されている。減圧装置５としては、電磁膨張弁やキャピラリーチューブが用いられる。さらに、ヒートポンプユニット１には、蒸発器６ａに送風を行い、空気と冷媒との熱交換を促進させる送風ファン６ｂを設けている。ヒートポンプユニット１は、圧縮機３、減圧装置５、蒸発器６ａ、送風ファン６ｂ、四方弁７を覆う筐体が設けられている。
【００２８】
また、貯湯タンクユニット２内には、熱媒体と高温冷媒とを熱交換して高温の熱媒体を生成する水冷媒熱交換器４が配置されている。水冷媒熱交換器４は、圧縮機３、減圧装置５、蒸発器６ａ、四方弁７と冷媒配管によって環状に接続されてヒートポンプサイクル（ヒートポンプ装置）を構成する。水冷媒熱交換器４としては、例えば、プレート式の熱交換器を用いることができる。また、水冷媒熱交換器４としては、熱媒体が流れる熱媒体配管の内部に、冷媒が流れる冷媒管を配設した二重管式の熱交換器を用いることができる。
【００２９】
貯湯タンクユニット２内に配置された水冷媒熱交換器４と、ヒートポンプユニット１内に配置された四方弁７及び減圧装置５とは、互いに冷媒配管８で接続される。ここで、ヒートポンプユニット１は屋外に、貯湯タンクユニット２は屋外に配置されることが好ましい。
【００３０】
なお、ヒートポンプユニット１と貯湯タンクユニット２と一体化して設けてもよい。また、ヒートポンプ装置を貯湯タンクユニット２に収容して一体化して設けてもよい。これらの場合、温水生成装置は、室内または室外に配置される。
【００３１】
ヒートポンプ装置を循環する冷媒としては、Ｒ４１０Ａ、Ｒ４０７Ｃ等のフロン系冷媒、ＣＯ２等の自然冷媒を用いることができる。冷媒の種類は特に限定されない。
【００３２】
貯湯タンクユニット２は、高温の温水を貯留する貯湯タンク１５が配設されている。貯湯タンク１５は、発泡材等の断熱材で覆われており、これにより貯湯タンク１５内に貯留される水の保温性を高めている。
【００３３】
また、貯湯タンクユニット２には、冷媒の放熱により、高温の熱媒体を生成する水冷媒熱交換器４が配設されている。さらに、貯湯タンクユニット２には、熱媒体が流れる熱媒体経路１２ａが配設されている。熱媒体経路１２ａは、熱媒体経路１２ａに設けられた三方弁１６から分岐して、貯湯タンク１５の内部に設けられた熱交換器１５ａを介して、三方弁１６よりも上流側の熱媒体経路１２ａに接続されるバイパス経路１２ｂを有している。熱媒体経路１２ａは、暖房接続部（２０ａ、２０ｂ）を介して、暖房端末１９と接続され、熱媒体回路１２を構成する。熱媒体経路１２ａは、貯湯タンクユニット２の外部から熱媒体が流入する暖房接続部２０ａと、貯湯タンクユニット２の内部から熱媒体が流出する暖房接続部２０ｂとの間を接続する。
【００３４】
熱媒体経路１２ａの途中には、熱媒体の流れ方向に対して上流側（暖房接続部２０ａ側
）から、循環ポンプ９、水冷媒熱交換器４、ヒータ部１４、三方弁１６、がこの順に設けられている。また、熱媒体経路１２ａの途中には、フロースイッチ１０、過圧逃し弁１１、膨張タンク１３、空気抜き弁１７、圧力計２３が設けられている。
【００３５】
フロースイッチ１０は湯水の流れを検知するもので、循環ポンプ９や水冷媒熱交換器４よりも下流側、すなわち、水冷媒熱交換器４で熱交換をした後の熱媒体が流れる位置に配置している。このようにフロースイッチ１０を循環ポンプ９よりも下流に配置することで、循環ポンプ９の作動状態を検出することができる。また、フロースイッチ１０を水冷媒熱交換器４よりも下流側に配置することで、例えば水冷媒熱交換器４の内部で熱媒体が凍結し、熱媒体の流量が減少したことを検知することができる。本実施の形態では、フロースイッチ１０は、水冷媒熱交換器４とヒータ部１４との間の熱媒体配管に設けられている。なお、フロースイッチ１０は、熱媒体回路１２を流れる熱媒体の流量を検知するものであってもよい。
【００３６】
本実施の形態では、循環ポンプ９としてＤＣポンプを用いている。温水生成装置の設置施工時には、熱媒体回路１２に設けられている暖房端末１９の大きさや放熱量に応じて、熱媒体回路１２を流れる熱媒体の流量を所定の範囲に設定する必要がある。この設定は、温水生成装置の設置時において、リモコン２２によって行われる。本実施の形態では、循環ポンプ９による熱媒体の循環量は、リモコン２２によって７段階の中から選択して設定できるように構成されている。
【００３７】
熱媒体回路１２には、熱媒体が流れる流路を形成するケースの内部に電気的加熱手段（ヒータ）を配置したヒータ部１４が設けられている。ヒータ部１４を熱媒体が流れることで、熱媒体がヒータによって所定温度まで加熱される。
【００３８】
ヒータ部１４は、例えば、外気温度が低く、ヒートポンプ装置の加熱能力が低下して、水冷媒熱交換器４における冷媒の放熱によっては、熱媒体を十分に加熱することができない場合に用いることができる。また、ヒータ部１４は、ヒートポンプ装置が故障した場合にも用いることができる。
【００３９】
また、ヒータ部１４は、例えばヒートポンプ装置が除霜運転を行って、熱媒体回路１２を流れる熱媒体の温度が低下することで、熱媒体回路１２内部の熱媒体が凍結してしまう条件で用いることができる。これにより、特に、死水域が生じて、熱媒体が凍結しやすい水冷媒熱交換器４における熱媒体の凍結を防止することができる。さらに、ヒータ部１４は、貯湯タンク１５内の水を、ヒートポンプ装置で加熱することができない高い温度（例えば７０度以上）まで加熱するときに用いることができる。さらに、ヒータ部１４は、貯湯タンク１５内の水の殺菌を行うときに用いることができる。貯湯タンク１５内部の水の殺菌を行う場合には、熱媒体は、ヒータ部１４によって６０度以上まで加熱されることが好ましい。
【００４０】
なお、貯湯タンク１５にさらに別のヒータを設けて、貯湯タンク１５の内部の水を直接加熱する構成としてもよい。
【００４１】
熱媒体経路１２ａには、圧力調整を行う膨張タンク１３および過圧逃し弁１１が設けられている。水冷媒熱交換器４にて熱媒体を加熱することで、熱媒体回路１２内部の熱媒体の体積が膨張すると、その体積膨張分の熱媒体を膨張タンク１３で吸収する。また、熱媒体回路１２の内圧が所定圧力以上にまで上昇した場合には、過圧逃し弁１１により、熱媒体回路１２内部の熱媒体を、熱媒体回路１２の外部に排水することができる。本実施の形態では、膨張タンク１３は、三方弁１６よりも下流側の熱媒体配管に設けられている。また、過圧逃し弁１１は、ヒータ部１４に取り付けられている。
【００４２】
また、貯湯タンクユニット２の内部の熱媒体回路１２には、空気抜き弁１７が設けられている。空気抜き弁１７は、弁の内部に滞留する空気を自動的に外部へと排出する機能を有する。したがって、熱媒体回路１２の途中に空気抜き弁１７を配置することで、熱媒体回路１２の内部の残存空気を、熱媒体回路１２の外部に排出することができる。空気抜き弁１７は、熱媒体経路１２ａのうち、最も高い位置に設けられていることが好ましい。熱媒体回路１２内部の空気は、その浮力によって熱媒体回路１２の内部で高い位置に滞留するので、熱媒体回路１２の最上部の位置に空気抜き弁１７を設けることで、熱媒体回路１２内の空気を容易に抜くことができる。本実施の形態において、空気抜き弁１７は、ヒータ部１４に取り付けられているが、熱媒体回路１２の最上部にあれば、その位置は特に限定されない。
【００４３】
また、熱媒体経路１２ａには圧力計２３が設けられている。これにより、熱媒体回路１２内の圧力を確認することができる。本実施の形態において、圧力計２３は、三方弁１６と暖房接続部２０ｂとの間の熱媒体経路１２ａに設けられているが、特にその位置は限定されない。
【００４４】
また、貯湯タンクユニット２の内部には、熱媒体回路１２の一部を構成するバイパス経路１２ｂが設けられている。バイパス経路１２ｂは、三方弁１６から分岐して、貯湯タンク１５内部に設けられた熱交換器１５ａを介して、暖房接続部２０ａと循環ポンプ９との間の熱媒体経路１２ａに接続される。
【００４５】
ヒータ部１４の下流側の熱媒体経路１２ａには、三方弁１６が設けられている。三方弁１６は、水冷媒熱交換器４で加熱された熱媒体を、貯湯タンク１５側に流すか、熱媒体経路１２ａの下流側に流すかを切り替えることができる。これにより、熱媒体を貯湯タンク１５側に流せば、熱交換器１５ａによって、貯湯タンク１５に貯留している水を加熱することができる。また、熱媒体経路１２ａの下流側に熱媒体を流せば、貯湯タンクユニット２の外部の熱媒体回路１２の途中に設けられた暖房端末１９（例えば、暖房端末）に熱媒体を流して、暖房運転を行うことができる。なお、三方弁１６は、水冷媒熱交換器から流出した熱媒体のうち、貯湯タンク１５側に流す熱媒体の流量と、熱媒体経路１２ａの下流側に流す流量とを調整することができるものであってもよい。
【００４６】
バイパス経路１２ｂを流れる熱媒体は、貯湯タンク１５の高さ方向に対して、相対的に上側の接続口１５ｂから流入し、熱交換器１５ａで熱交換した後の熱媒体は、相対的に下側の接続口１５ｃから流出することが好ましい。これにより効率よく貯湯タンク１５内部の水を加熱することができる。
【００４７】
貯湯タンク１５には、水道管等からの水が流れる給水配管３１が接続されている。水道管等からの水は、減圧弁３２、貯湯タンクユニット２に設けられた給湯接続部３０ａを介して、貯湯タンク１５の下方に流入する。また、貯湯タンク１５には、貯湯タンク１５内部の水を流出させる出湯管３０が、給水配管３１よりも上方に接続されている。貯湯タンク１５内部の水（温水）は、貯湯タンク１５の上部から出湯管３０に流出する。その後、給湯接続部３０ｂから貯湯タンクユニット２の外部へと流出して、カランやシャワー等の給湯端末３３に供給される。なお、給湯端末３３の上流側には、給水配管３１からの水と出湯管３０からの温水とを混合させる混合水栓３４が設けられていることが好ましい。なお、減圧弁３２は、貯湯タンクユニット２の外部に設けられていても、貯湯タンクユニット２の内部に設けられていてもよい。
【００４８】
なお、本実施の形態では、水冷媒熱交換器４にて熱媒体を加熱し、加熱した熱媒体を熱交換器１５ａに流すことで貯湯タンク１５内の水を加熱する構成、すなわち、ヒートポン
プ装置を循環する冷媒の熱を用い、熱媒体を介して、間接的に貯湯タンク１５内部の水を加熱する構成としている。しかしながら、水冷媒熱交換器４によって加熱された熱媒体を、そのまま貯湯タンク１５に貯湯する構成としてもよい。すなわち、水冷媒熱交換器４によって加熱された熱媒体を、貯湯タンク１５に直接貯湯することとしてもよい。この場合、熱媒体回路１２の途中に、水道管などから水を供給するための配管が接続されていることが好ましい。
【００４９】
水冷媒熱交換器４によって加熱された熱媒体を貯湯タンク１５に直接貯湯する場合には、貯湯タンク１５の内部に、給水配管３１と出湯配管３０とが配管によって接続された熱交換器が配置されることが好ましい。すなわち、給水配管３１を流れた水が、この熱交換器を流れる間に貯湯タンク１５の内部に貯留された熱媒体によって加熱され、出湯管３０から流出し、給湯端末３３に供給されるように構成されていることが好ましい。これにより、貯湯タンク１５に高温の熱媒体を貯留しておけば、給湯端末３３で温水が必要になった場合に、熱交換器によって水を加熱して、給湯端末３３に供給することができる。
【００５０】
貯湯タンクユニット２に設けられた暖房接続部（２０ａ、２０ｂ）は、熱媒体配管２０によって、ラジエタ、床暖房パネル等の暖房端末１９と接続される。これにより、熱媒体経路１２ａは、熱媒体回路１２を構成する。暖房接続部（２０ａ、２０ｂ）は、熱媒体配管２０と着脱自在に構成される。
【００５１】
次に、本発明の実施の形態における温水生成装置の動作について以下に説明する。
【００５２】
本実施の形態における温水生成装置は、熱媒体回路１２の途中に設けられた暖房端末１９に熱媒体を供給して、室内の暖房を行う暖房運転、貯湯タンク１５に高温の熱媒体または温水を蓄える貯湯運転、蒸発器６ａに付着した霜を融解させる除霜運転を少なくとも実行することができる。これらの運転は、使用者がリモコン２２によって運転開始を指示した場合、もしくは、温水生成装置の制御装置２１が、時間帯、温水生成装置の周囲の温度等によって実行する必要があると判断した場合に、開始される。
【００５３】
暖房運転の開始が使用者のリモコン２２操作により指示された場合、もしくは、制御装置２１が室内の温度等から暖房運転が必要であると判断した場合には、制御装置２１は暖房運転を開始する。制御装置２１は、暖房運転において、ヒートポンプ装置の圧縮機３、熱媒体回路１２に設けられた循環ポンプ９を駆動させる。制御装置２１は、減圧装置５が電磁膨張弁である場合には、その弁開度を調整する。
【００５４】
また、制御装置２１は、三方弁１６を、熱媒体回路１２の下流側に切り替える。これにより、冷媒がヒートポンプ装置を循環する。また、熱媒体が熱媒体回路１２を循環して、暖房端末１９を流れる。なお、使用者は、リモコン２２により、熱媒体回路１２を流れて暖房端末１９に供給される熱媒体の温度を調整することができる。ここで、リモコン２２による熱媒体の温度の調整は、所定の温度を具体的に指定するものであってもよく、複数の段階（例えば、「強」「中」「弱」）を指定するものであってもよい。
【００５５】
圧縮機３が駆動されると、冷媒がヒートポンプ装置を循環する。また、冷媒は圧縮機３によって圧縮され、高温高圧の状態となる。そして、高温高圧の冷媒は、四方弁７を介して水冷媒熱交換器４へと流入し、熱媒体に熱を放出する。水冷媒熱交換器４から流出した冷媒は、減圧装置５によって減圧される。減圧装置５から流出した冷媒は、蒸発器６ａにおいて、送風ファン６ｂによって送風された空気と熱交換して蒸発する。その後、蒸発器６ａから流出した冷媒は、四方弁７を介して圧縮機３に流入し、再度圧縮される。このようにして、冷媒がヒートポンプ装置を循環する。
【００５６】
一方、熱媒体回路１２には、循環ポンプ６が駆動することによって熱媒体が循環する。熱媒体回路１２を循環する熱媒体は、水冷媒熱交換器４で、冷媒が有する熱によって加熱され、高温になる。ここで、三方弁１６は、熱媒体回路１２の下流側に熱媒体が流れるように設定されている。よって、水冷媒熱交換器４から流出し、ヒータ部１４を流れた熱媒体は、三方弁１６、暖房接続部２０ａを介して貯湯タンクユニット２の外部の熱媒体回路１２へと流出し、熱利用端末１９（例えば、床暖房）へと流入する。熱媒体は、暖房端末１９で放熱した後、暖房接続部２０ａから、再度、熱媒体経路１２ａに流入する。このようにして、熱媒体が熱媒体回路１２を循環する。
【００５７】
制御装置２１は、暖房端末１９に供給される熱媒体の温度が所定の温度となるように、ヒートポンプ装置、循環ポンプ９を制御する。例えば、水冷媒熱交換器４から流出する熱媒体の温度（出湯温度）が目標温度となるように圧縮機３の回転数及び減圧装置５を制御するとともに、水冷媒熱交換器４に流入する熱媒体の温度（入水温度）が所定温度となるように循環ポンプ９の回転数を制御することができる。すなわち、ヒートポンプ装置は、圧縮機３から吐出される冷媒の温度（吐出温度）を所定温度とする吐出温度を実行し、循環ポンプは、水冷媒熱交換器４に流入する熱媒体の温度（入水温度）を調整する入水温度制御を行う。また、制御装置２１は、ヒートポンプ装置のみでは、熱媒体を十分に加熱することができない場合に、ヒータ部１４を用いて熱媒体を加熱する。
【００５８】
貯湯運転の開始が、使用者のリモコン２２操作により指示された場合、もしくは、制御装置２１が貯湯タンク１５内の水の温度や時間帯等から貯湯運転が必要であると判断した場合には、制御装置２１は貯湯運転を開始する。制御装置２１は、貯湯運転において、ヒートポンプ装置の圧縮機３、熱媒体回路１２に設けられた循環ポンプ９を駆動させる。制御装置２１は、減圧装置５が電磁膨張弁である場合には、その弁開度を調整する。
【００５９】
また、制御装置２１は、貯湯運転において、三方弁１６を、バイパス経路１２ｂ側に切り替える。これにより、冷媒がヒートポンプ装置を循環し、熱媒体が熱交換器１５ａを流れる。なお、使用者は、リモコン２２により、熱交換器１５ａに供給される熱媒体の温度を調整することができる。ここで、リモコン２２による熱媒体の温度の調整は、所定の温度を具体的に指定するものであってもよく、複数の段階（例えば、「強」「中」「弱」）を指定するものであってもよい。
【００６０】
バイパス経路１２ｂに流入し、熱交換器１５ａを流れる熱媒体は、貯湯タンク１５に貯留されている水に放熱して加熱する。これにより、貯湯タンク１５の内部に高温の水が貯留される。給湯運転においては、加熱された水は、出湯管３０に流出し、給湯接続部３０ｂを介して貯湯タンクユニット２の外部に流出し、給湯端末３３に供給される。すなわち、貯湯タンク１５に貯留された高温の水を用いて、給湯運転が行われる。
【００６１】
制御装置２１は、貯湯運転において、熱交換器１５ａに供給される熱媒体の温度が所定の温度となるように、ヒートポンプ装置、循環ポンプ９を制御する。例えば、水冷媒熱交換器４から流出する熱媒体の温度（出湯温度）が目標温度となるように圧縮機３の回転数及び減圧装置５を制御するとともに、水冷媒熱交換器４に流入する熱媒体の温度（入水温度）が所定温度となるように循環ポンプ９の回転数を制御することができる。また、制御装置２１は、ヒートポンプ装置のみでは、熱媒体を十分に加熱することができない場合に、ヒータ部１４を用いて熱媒体を加熱する。
【００６２】
また、制御装置２１は、外気温度が所定温度以下となった場合や、蒸発器６ａを流れる冷媒の温度が所定温度以下となった場合に、蒸発器６ａに霜が付着したと判断し、その霜を除去する除霜運転を実行する。除霜運転において、制御装置２１は、四方弁７によって冷媒の循環方向を切り替える。これにより、冷媒は、圧縮機３、四方弁７、蒸発器６ａ、
減圧装置５、水冷媒熱交換器４、四方弁７、圧縮機３の順に流れる。その結果、蒸発器６ａに高温高圧の冷媒が流入し、除霜が行われる。
【００６３】
除霜運転においては、水冷媒熱交換器４に低温低圧の冷媒が流入する。これにより、熱媒体回路１２内部の熱媒体の温度が低下する。特に、水冷媒熱交換器４の内部の死水域では、熱媒体の流動が生じにくいので、熱媒体が凍結してしまう場合がある。そこで、制御装置２１は、例えば、水冷媒熱交換器４に流入する熱媒体の温度が所定温度未満の場合に、ヒータ部１４を起動して、熱媒体を加熱し、加熱した熱媒体を熱媒体回路１２に循環させる。これにより、熱媒体回路１２内部の熱媒体の凍結を防止することができる。また暖房運転、貯湯運転の実行中に除霜運転を行う場合には、暖房端末１９や熱交換器１５ａに供給される熱媒体の温度低下を抑制することができ、使用性が向上する。
【００６４】
次に、温水生成装置のうち、特に貯湯タンクユニット２の機能部品の配置構成について説明する。
【００６５】
図３は、貯湯タンクユニット２外観を示す斜視図、図４は、貯湯タンクユニット２の前面パネル２９ａを取り外した場合の内部構造を示す斜視図、図５は、貯湯タンクユニット２の前面パネル２９ａ、上面パネル２９ｂ、側面パネル（２９ｃ、２９ｄ）、制御装置２１が固定された固定板２１ａを取り外した場合の、内部構造を示す斜視図である。
【００６６】
本発明における機能部品の配置構成は、貯湯タンク１５、水冷媒熱交換器４、熱媒体経路１２ａを１つの筐体２９内に収容して貯湯タンクユニット２を構成した場合において、温水生成装置の設置時における施工性、メンテナンス性及び美観性を向上させるためのものである。
【００６７】
ここで、まず温水生成装置の設置工事及びメンテナンス方法について説明する。
温水生成装置の設置施工者は、その設置施工時において、まず、屋内に貯湯タンクユニット２を設置し、屋外にヒートポンプユニット１を設置する。そして、ヒートポンプユニット１と、貯湯タンクユニット２とを冷媒配管８で互いに接続する。また、暖房端末１９（例えば、床暖房）へ熱媒体が循環するように、貯湯タンクユニット２と暖房端末１９とを熱媒体配管２０により互いに接続する。さらに、貯湯タンク１５に水を供給し、また、貯湯タンク１５から出湯させるために、貯湯タンクユニット２に給水配管３１及び出湯配管３０を接続する。
【００６８】
次に、熱媒体回路１２に熱媒体を流入させる運転を行う。熱媒体回路１２内に存在する空気を抜くために、空気抜き弁１７に設けられたキャップを緩めた状態で循環ポンプ９を起動し、熱媒体回路１２に熱媒体を循環させる。これにより熱媒体回路１２の内部の空気が抜かれる。試運転時の循環ポンプ９の操作はリモコン２２によって行われる。
【００６９】
空気抜き弁１７によっても空気が完全に抜けない場合には、熱媒体回路１２に熱媒体を循環させた状態で過圧逃し弁１１のレバーを倒して、過圧逃し弁１１を介して熱媒体回路１２内部の残存空気が抜けるようにする。過圧逃し弁１１のレバーを倒して所定時間経過後、過圧逃し弁１１のレバーを元の位置に戻す。この動作を空気を、完全に抜けるまで繰り返す。この時に、過圧逃し弁１１が適切に動作しているか確認を行う。
【００７０】
次に、熱媒体回路１２の内部の水圧が適切かどうか、圧力計２３により確認する。次に、暖房運転が適切に行われるかを確認するため、暖房運転の試運転を行う。このとき、循環ポンプ９を先に起動させ、所定時間経過後にヒートポンプ装置を起動させる。これにより、熱媒体回路１２に熱媒体が循環している状態でヒートポンプ装置を起動させるので、ヒートポンプ装置の内部に過大圧力が生じることを防止する。
【００７１】
試運転時には、リモコン２２に表示される熱媒体の現在の温度が上昇するかどうか、熱媒体回路１２内部の空気が完全に抜けているか、暖房端末１９が十分に暖まっているか、過圧逃し弁１１から熱媒体が漏れていないか、圧力計２３が示す値が適切（例えば、０．１〜０．１９ＭＰａ）かどうか、リモコン２２に異常表示が出ていないか等を確認する。
【００７２】
以上のように、温水生成装置の設置工事のおいては、冷媒配管８、熱媒体配管２０、給水配管３１、出湯配管３０等の配管の接続、空気抜き弁１７、過圧逃し弁１１、圧力計２３の動作確認、試運転、を行う必要がある。したがって、設置施工者が、設置施工を行い易いように、これらの機能部品が配置されていることが好ましい。
【００７３】
また、空気抜き弁１７及び過圧逃し弁１１は、温水生成装置の設置施工後のメンテナンスにおいても、比較的頻繁に使用されるものであるから、容易に操作可能な位置に設置されていることが好ましい。
【００７４】
以上のような観点から、本発明では、図３に示すように、筐体２９に開閉自在もしくは着脱自在な操作部カバー２５を設け、操作部カバー２５の内方側に空気抜き弁１７及び過圧逃し弁１１を配置するようにしている。また、操作部カバー２５の下方に配置される前面パネル２９ａの内方に冷媒配管８、熱媒体配管２０、給水配管３１、出湯配管３０が接続される配管接続部４０を設けている。
【００７５】
以下、貯湯タンクユニット２における機能部品の配置構成について、詳細に説明する。図３に示すように、貯湯タンクユニットの周囲は、ステンレス製の板金で構成された筐体２９によって覆われている。筐体２９は、貯湯タンクユニット２の前面を覆う前面パネル２９ａ、上面を覆う上面パネル２９ｂ、側面を覆う側面パネル２９ｃ、後面を覆う後面パネル２９ｄを有する。また、前面パネル２９ａの上方には、前面パネル２９ａの外表面から貯湯タンクユニット２の内方側に所定距離オフセットさせた操作部パネル２９ｅが設けられている。筐体２９を構成するそれぞれのパネル（２９ａ〜２９ｅ）は、ボルト等の締結部材により、互いに、もしくは、枠体（図示せず）に固定される。なお、側面パネル２９ｃは、前面パネル２９ａ側から見て、右側の側面パネルと左側の側面パネル（図示せず）との双方を指す。
【００７６】
また、前面パネル２９ａの上方の筐体２９もしくは枠体には、前面パネル２９ａ側に開閉自在に設けられた操作部カバー２５が取り付けられている。操作部カバー２５は、筐体２９のうち、前面パネル２９ａ、上面パネル２９ｂ、側面パネル２９ｃ、枠体のいずれかにその一部が固定されている。本実施の形態では、操作部カバー２５は、回動自在なヒンジ（図示せず）を介して、前面パネル２９ａと右側の側面パネル２９ｃとが固定される枠体に接続されている。操作部カバー２５は、操作部カバー２５が固定された枠体と平行な軸Ｚ周りに、閉位置から開位置まで回動する。操作部カバー２５は、使用者や設置施工者が、工具等を用いず、手動で開閉または着脱できる構成のものである。なお、操作部カバー２５が固定される位置、操作部カバー２５の回動する軸の方向及び位置は、特に限定されない。例えば、操作部カバー２５を、前面パネル２９ａの上端に固定して、この上端と平行な水平方向の軸周りに回動する構成としてもよい。
【００７７】
操作部カバー２５が閉位置にある（閉状態）と、操作部カバー２５の外周面は、筐体２９の外周面と同一の面を構成する。これにより、貯湯タンクユニット２の美観性が向上する。また、操作部カバー２５が閉位置にあるとき、操作部カバー２５と操作部パネル２９ｅとが対向する。一方、図３に示すように、操作部カバー２５が開位置にある（開状態）と操作部パネル２９ｅが外部に露出する。
【００７８】
操作部パネル２９ｅには、少なくとも、過圧逃し弁１１、空気抜き弁１７が配置されている。したがって、操作部カバー２５が閉位置にあると、過圧逃し弁１１、空気抜き弁１７、操作部カバー２５に覆われた状態となって外部に露出せず、操作部カバー２５が開位置にあると、過圧逃し弁１１、空気抜き弁１７、外部に露出する。
【００７９】
また、本実施の形態では、操作部パネル２９ｅには、リモコン２２及び圧力計２３も操作部パネル２９ｅに配置されている。したがって、操作部カバー２５が閉位置にあると、過圧逃し弁１１、空気抜き弁１７、リモコン２２、圧力計２３は、操作部カバー２５に覆われた状態となって外部に露出せず、操作部カバー２５が開位置にあると、過圧逃し弁１１、空気抜き弁１７、リモコン２２、圧力計２３は、外部に露出する。
【００８０】
このように、貯湯タンクユニット２の筐体２９に設けられた開閉自在な操作部カバー２５により、施工時およびメンテナンス時に使用する過圧逃し弁１１及び空気抜き弁１７を容易に露出させ、操作を行うことができる。特に、熱媒体回路１２の内圧が過度に上昇している場合などには、操作部カバー２５を開状態として、過圧逃し弁１１を操作することができるので、温水生成装置の異常に対して迅速に対応することができる。よって、設置施工性、メンテナンス性が向上する。
【００８１】
また、本実施の形態では、操作部パネル２９ｅに、過圧逃し弁１１、空気抜き弁１７、リモコン２２、圧力計２３が集約して配置されている。したがって、操作部カバー２５が閉状態の場合には、貯湯タンクユニット２の外表面にはこれらの機能部品が露出しない。よって、貯湯タンクユニット２の美観性を向上させることができる。
【００８２】
また、操作部カバー２５が閉状態のときに、リモコン２２が操作部カバー２５で覆われるため、リモコン２２の誤操作や破損を防止できる。その結果、リモコン２２の耐久性を向上させることができる。
【００８３】
なお、操作部カバー２５の内方側に、過圧逃し弁１１とリモコン２２とが配置される場合には、リモコン２２は、過圧逃し弁１１の下方側以外の位置に配置されることが好ましい。過圧逃し弁１１からは、熱媒体回路１２を流れる熱媒体が流出する場合がある。したがって、リモコン２２を過圧逃し弁１１の下方側以外の位置には位置することで、過圧逃し弁１１から流出する熱媒体がリモコン２２に付着することを防止できる。その結果、リモコンの不具合を防止できる。
【００８４】
なお、操作部カバー２５は、貯湯タンクユニット２の高さ方向において中央よりも上側に設けられていることが好ましい。本実施の形態では、操作部カバー２５は、貯湯タンクユニット２の前面側において、前面パネル２９ａの上方であって、貯湯タンクユニット２の最も上方に配置されている。これにより、過圧逃し弁１１、空気抜き弁１７、リモコン２２、圧力計２３が、使用者及び設置施工者から視認しやすく、かつ、操作しやすい位置に配置されることとなる。したがって、設置施工性、メンテナンス性が向上する。なお、操作部カバー２５は、貯湯タンクユニット２の高さ方向において最も上方に配置されていなくてもよい。すなわち、操作部カバー２５のさらに上方に、筐体２９の一部を構成するパネルを設けてもよい。
【００８５】
なお、本実施の形態では、操作部カバー２５を、前面パネル２９ａ側から見て右側に設けた所定の軸Ｚ周りに回動自在に構成して、貯湯タンクユニット２の前面側に開閉自在としたが、これ以外の構成としてもよい。例えば、操作部カバー２５をスライド式に構成することで、貯湯タンクユニット２の前面側の一部が開閉自在に構成されていてもよい。また、操作部カバー２５にフックを設けて、このフックを筐体２９又は枠体のいずれかに引っ掛けることで、筐体２９と着脱自在な構成としてもよい。すなわち、操作部カバー２５
は、筐体２９と開閉自在もしくは着脱自在に構成され、閉状態と開状態とで、操作部パネル２９ｅの露出の有無を切り替えることができるものであればよい。
【００８６】
なお、本実施の形態では、過圧逃し弁１１と空気抜き弁１７とを操作部パネル２９ｅに配置する構成としたが、過圧逃し弁１１と空気抜き弁１７とは、操作部パネル２９ｅに固定されていなくてもよい。すなわち、操作部カバー２５が閉状態のときに、操作部カバー２５の内面と対向する位置にあり、操作部カバー２５が開状態となった時に外部に露出する構成とすればよい。例えば、図４に示すように、操作部パネル２９ｅの一部に切り欠きを設けて、この切り欠き部に過圧逃し弁１１及び空気抜き弁１７を設けることができる。
【００８７】
なお、過圧逃し弁１１、空気抜き弁１７、リモコン２２、圧力計２３をカバーで覆う場合には、過圧逃し弁１１及び空気抜き弁１７を覆うカバーと、リモコン２２、圧力計２３とを覆うカバーを別に設けてもよい。
【００８８】
なお、本実施の形態では、前面パネル２９ａの上方に操作部パネル２９ｅを設けたが、操作部パネル２９ｅは、側面パネル２９ｃの上方に設けられていてもよい。
【００８９】
なお、リモコン２２及び圧力計２３は、筐体２９と同一面に配置されていてもよい。すなわち、リモコン２２及び圧力計２３は、常時、貯湯タンクユニット２の外部に露出する位置に配置されていてもよい。リモコン２２は、熱媒体、及び、給湯端末３３に供給される水の温度を調整するために常時使用するものである。また、圧力計２３は、温水生成装置の異常を認識するために、常時視認できる位置に配置されていることが好ましいものである。よって、リモコン２２及び圧力計２３を、常時外部に露出する位置に配置することで、使用者の使用性を向上させることができるとともに、異常時にはその異常に迅速に対応することができる。
【００９０】
次に、貯湯タンクユニット２の内部構造について説明する。図４は、前面パネル２９ａを取り外した状態の貯湯タンクユニット２の内部構造を示す正面図である。また、図５は、前面パネル２９ａ、上面パネル２９ｂ、側方パネル２９ｃ、制御装置２１が固定される固定板２１ａを取り外した際の貯湯タンクユニット２の内部構造を示す斜視図である。
【００９１】
前面パネル２９ａを取り外すと、貯湯タンクユニット２の内部に設けられた制御装置２１及び、配管接続部４０が外部に露出する。配管接続部４０は、暖房接続部（２０ａ、２０ｂ）と給湯接続部（３０ａ、３０ｂ）と冷媒接続部（８ａ、８ｂ）とを指す。
【００９２】
制御装置２１は、固定板２１ａに固定される。また、固定板２１ａは、支持具２１ａを介して、筐体２９のいずれか、または、枠体に、ボルト等の締結部材を用いて固定される。制御装置２１よりも下方側であって、貯湯タンクユニット２の設置面から所定の高さＬとなる位置に、配管接続部４０が設けられている。以上の構成により、貯湯タンクユニット２の前面側には、操作部パネル２９ｅ、制御装置２１、配管接続部４０が上から順に配置される。これにより、操作部カバー２５を開状態とし、かつ、前面パネル２９ａを取り外せば、設置施工及びメンテナンスに必要な、過圧逃し弁１１、空気抜き弁１７、リモコン２２、圧力計２３、配管接続部４０を全て外部に露出することができる。
【００９３】
配管接続部４０は、それぞれの配管の端部が、下方を向いて構成される。これにより、配管接続部４０に接続する各配管を、配管接続部４０の下方側から容易に接続することができる。
【００９４】
このように、制御装置２１及び配管接続部４０が、前面パネル２９ａの内面と対向する位置に配置されているので、前面パネル２９ａを取り外すのみで、制御装置２１及び配管
接続部４０を外部に露出させることができる。制御装置２１及び配管接続部４０は、過圧逃し弁１１及び空気抜き弁１７よりも、メンテナンスにおける使用頻度が少なく、使用者が直接触れる必要がないものである。したがって、これらを前面パネル２９ａの内面側に配置すると、使用者の目に触れることがない。したがって、美観性が向上する。また、設置施工者にとっては、設置施工時、メンテナンス時に前面パネル２９ａを取り外すのみで制御装置２１及び配管接続部４０を容易に露出させることができるので、設置施工性、メンテナンス性が向上する。
【００９５】
また、制御装置２１よりも下方側に配管接続部４０が設けられているので、配管の接続を行った際に熱媒体や水が漏れたとしても、制御装置２１に触れることを防止できる。さらに、配管接続部４０、貯湯タンクユニット２の設置面から所定の高さＬの位置に配置されているので、貯湯タンクユニット２を設置する際に、設置空間の天井を気にすることなく設置工事を行うことができ、配管の接続が容易になる。
【００９６】
また、図４に示すように、貯湯タンクユニット２の内部の上面パネル２９ｂ側かつ後面パネル２９ｄ側には、水冷媒熱交換器４、膨張タンク１３が配設されている。水冷媒熱交換器４及び膨張タンク１３よりも前面パネル２９ａ側（前方側）には、循環ポンプ９と三方弁１６とが配置されている、さらに、循環ポンプ９と三方弁１６よりも前方側には、ヒータ部１４、過圧逃し弁１１、空気抜き弁１７が配置されている。空気抜き弁１７は、熱媒体経路１２ａのうち最も上方側に配置される。
【００９７】
過圧逃し弁１１及び空気抜き弁１７は、ヒータ部１４の上方に取り付けられている。ヒータ部１４の熱媒体の流路断面積は、その他の熱媒体経路１２ａよりも大きいから、過圧逃し弁１１をヒータ部１４に取り付けることで、熱媒体経路１２ａの内圧を確実に減圧させることができる。また、ヒータ部１４の熱媒体の流路断面積は、その他の熱媒体経路１２ａよりも大きいので、ヒータ部１４では空気がその浮力にしたがって上方に移動しやすい。したがって、空気抜き弁１７をヒータ部１４に取り付けることで、熱媒体回路１２内部に存在する空気を空気抜き弁１７へと集結させて、熱媒体回路１２の外部に容易に排出することができる。なお、空気抜き弁１７は、熱媒体回路１２の最上部の位置に設けることで、熱媒体回路１２内の空気を容易に抜くことができる。
【００９８】
水冷媒熱交換器４、循環ポンプ９、膨張タンク１３、ヒータ部１４、三方弁１６よりも下方には、貯湯タンク１５が配置されている。貯湯タンク１５は、周囲が断熱材により覆われている。水冷媒熱交換器４、循環ポンプ９、膨張タンク１３、ヒータ部１４、三方弁１６と、貯湯タンク１５との間には仕切板３９が設けられている。仕切板３９は、筐体２９のいずれか、もしくは、枠体と接続され固定される。
【００９９】
水冷媒熱交換器４及び膨張タンク１３は、筐体２９（本実施の形態では後面パネル２９ｄ）と、仕切板３９とに接続され固定される。水冷媒熱交換器４及び膨張タンク１３は重量物であるので、筐体２９と仕切板３９との双方に接続することで、強固に固定できる。
【０１００】
循環ポンプ９及び三方弁１６は、仕切板３９に接続され固定される。循環ポンプ９は駆動すると振動を生じさせるが、循環ポンプ９を仕切板３９に強固に固定することで振動を抑制するとともに、振動が生じても仕切板３９を伝って筐体２９の全体に拡散して減衰するので、騒音の発生を抑制できる。
【産業上の利用可能性】
【０１０１】
以上のように、本発明によれば、省スペースで設置施工性、メンテナンス性に優れた温水生成装置を提供することができるので、給湯器や温水暖房機等に適用できる。
【符号の説明】
【０１０２】
１  ヒートポンプユニット
２  貯湯タンクユニット
３  圧縮機
４  水冷媒熱交換器
５  減圧装置
６ａ  蒸発器
８  冷媒配管
８ａ、８ｂ  冷媒接続部
１１  過圧逃し弁
１２  熱媒体回路
１２ａ  熱媒体経路
１２ｂ  バイパス経路
１５  貯湯タンク
１５ａ  熱交換器
１７  空気抜き弁
１９  暖房端末
２０  熱媒体配管
２０ａ、２０ｂ  暖房接続部
２１  制御装置
２２  リモコン
２３  圧力計
２５  操作部カバー
２９  筐体
２９ａ  前面パネル
２９ｅ  操作部パネル
３０ａ、３０ｂ  給湯接続部
４０  配管接続部
【図１】
2015203509.tif 000003
【図２】
2015203509.tif 000004
【図３】
2015203509.tif 000005
【図４】
2015203509.tif 000006
【図５】
2015203509.tif 000007